(57)【要約】【課題】比較対象とする監視対象期間および比較対象期間の監視情報の詳細を、当該監視情報の比較結果に基づいて絞り込んだ上で表示させることができる情報表示制御装置を提供する。【解決手段】監視対象期間および比較対象期間の監視情報を表示させるための基本条件の設定を受け付ける表示条件受付部１１２と、基本条件に基づき、監視対象期間および比較対象期間の監視情報を取得する計測値取得部１３と、監視対象期間の監視情報と比較対象期間の監視情報とを比較する比較部１５と、比較部１５による比較結果と、どの監視対象から収集された監視対象期間および比較対象期間の監視情報であるかを特定するための項目とが対応付けられた表示対象項目一覧を一覧表示領域に表示させる一覧表示制御部１６２と、表示対象項目一覧から、１つの項目の選択指示を受け付ける詳細表示受付部１１１と、選択指示で選択された項目に対応する、監視対象期間および比較対象期間の監視情報を、詳細表示領域に表示させる詳細表示制御部１６３とを備えた。【選択図】図１
2018116616.tif 000002
【特許請求の範囲】
【請求項１】
１つまたは複数の監視対象において収集された、監視対象期間および比較対象期間の監視情報を表示させるための基本条件の設定を受け付ける表示条件受付部と、
前記表示条件受付部が受け付けた基本条件に基づき、前記監視対象期間および前記比較対象期間の監視情報を取得する計測値取得部と、
前記計測値取得部が取得した、前記監視対象期間の監視情報と前記比較対象期間の監視情報とを比較する比較部と、
前記比較部による比較結果と、どの監視対象から収集された前記監視対象期間および前記比較対象期間の監視情報であるかを特定するための項目とが対応付けられた表示対象項目一覧を一覧表示領域に表示させる一覧表示制御部と、
前記一覧表示制御部が表示させた表示対象項目一覧から、１つの項目の選択指示を受け付ける詳細表示受付部と、
前記計測値取得部が取得した前記監視対象期間および前記比較対象期間の監視情報と、前記詳細表示受付部が受け付けた選択指示に基づき、前記選択指示で選択された項目に対応する、前記監視対象期間および前記比較対象期間の監視情報を、詳細表示領域に表示させる詳細表示制御部
とを備えた情報表示制御装置。
【請求項２】
前記比較部は、
前記監視対象期間の監視情報の合計値と、前記比較対象期間の監視情報の合計値とを比較する
ことを特徴とする請求項１記載の情報表示制御装置。
【請求項３】
前記比較部は、
前記監視対象期間の監視情報のうちの最大値と、前記比較対象期間の監視情報のうちの最大値とを比較する
ことを特徴とする請求項１または請求項２記載の情報表示制御装置。
【請求項４】
前記比較部は、
前記監視対象期間の監視情報のうちの最小値と、前記比較対象期間の監視情報のうちの最小値とを比較する
ことを特徴とする請求項１から請求項３のうちのいずれか１項記載の情報表示制御装置。
【請求項５】
前記比較部は、
前記監視対象期間の監視情報の平均値と、前記比較対象期間の監視情報の平均値とを比較する
ことを特徴とする請求項１から請求項４のうちのいずれか１項記載の情報表示制御装置。
【請求項６】
前記一覧表示領域と前記詳細表示領域とは同一画面上に配置される
ことを特徴とする請求項１から請求項５のうちのいずれか１項記載の情報表示制御装置。
【請求項７】
前記表示条件受付部は、前記表示対象項目一覧で表示させる情報の並び順を受け付け、
前記一覧表示制御部は、前記表示条件受付部が受け付けた並び順に応じた並び順で、前記表示対象項目一覧を表示させる
ことを特徴とする請求項１から請求項６のうちのいずれか１項記載の情報表示制御装置。
【請求項８】
表示条件受付部が、１つまたは複数の監視対象において収集された、監視対象期間および比較対象期間の監視情報を表示させるための基本条件の設定を受け付けるステップと、
計測値取得部が、前記表示条件受付部が受け付けた基本条件に基づき、前記監視対象期間および前記比較対象期間の監視情報を取得するステップと、
比較部が、前記計測値取得部が取得した、前記監視対象期間の監視情報と前記比較対象期間の監視情報とを比較するステップと、
一覧表示制御部が、前記比較部による比較結果と、どの監視対象から収集された前記監視対象期間および前記比較対象期間の監視情報であるかを特定するための項目とが対応付けられた表示対象項目一覧を一覧表示領域に表示させるステップと、
詳細表示受付部が、前記一覧表示制御部が表示させた表示対象項目一覧から、１つの項目の選択指示を受け付けるステップと、
詳細表示制御部が、前記計測値取得部が取得した前記監視対象期間および前記比較対象期間の監視情報と、前記詳細表示受付部が受け付けた選択指示に基づき、前記選択指示で選択された項目に対応する、前記監視対象期間および前記比較対象期間の監視情報を、詳細表示領域に表示させるステップ
とを備えた情報表示制御方法。
【請求項９】
１つまたは複数の監視対象において収集された監視情報を蓄積するサーバと、当該サーバから、監視対象期間および比較対象期間に収集された監視情報を取得し、当該取得した監視情報に基づく情報を表示させる情報表示制御装置とを備える情報表示制御システムにおいて、
前記情報表示制御装置は、
前記１つまたは複数の監視対象において収集された、前記監視対象期間および比較対象期間の監視情報を表示させるための基本条件の設定を受け付ける表示条件受付部と、
前記表示条件受付部が受け付けた基本条件に基づき、前記監視対象期間および前記比較対象期間の監視情報を取得する計測値取得部と、
前記計測値取得部が取得した、前記監視対象期間の監視情報と前記比較対象期間の監視情報とを比較する比較部と、
前記比較部による比較結果と、どの監視対象から収集された前記監視対象期間および前記比較対象期間の監視情報であるかを特定するための項目とが対応付けられた表示対象項目一覧を一覧表示領域に表示させる一覧表示制御部と、
前記一覧表示制御部が表示させた表示対象項目一覧から、１つの項目の選択指示を受け付ける詳細表示受付部と、
前記計測値取得部が取得した前記監視対象期間および前記比較対象期間の監視情報と、前記詳細表示受付部が受け付けた選択指示に基づき、前記選択指示で選択された項目に対応する、前記監視対象期間および前記比較対象期間の監視情報を、詳細表示領域に表示させる詳細表示制御部とを備えた
ことを特徴とする情報表示制御システム。
【発明の詳細な説明】
【技術分野】
【０００１】
この発明は、施設内の１つまたは複数の機器から収集される情報の表示制御を行う情報表示制御装置、情報表示制御方法、および、当該情報表示制御装置とサーバとで構成される情報表示制御システムに関するものである。
【背景技術】
【０００２】
従来、施設内の設備等から収集される情報を蓄積し、当該蓄積された情報を解析する等して施設内の設備を監視する技術が知られている。
例えば、特許文献１には、消費電力量表示装置において、建物内のテナントの消費電力量の計測データを、過去の計測データと対応させて表示させる技術が開示されている。
特許文献１に開示されている技術では、例えば、建物内から収集され蓄積されている消費電力量から、監視対象月間の消費電力量と比較対象月間の消費電力量とを取得し、当該監視対象月間の消費電力量と比較対象月間の消費電力量とを対応させて表示させる。
また、このとき、比較対象月間と比較した監視対象月間の日ごとの消費電力量の削減率を示すグラフをあわせて表示させることを可能としている。
【先行技術文献】
【特許文献】
【０００３】
【特許文献１】国際公開第２０１１／１５５２８５号
【発明の概要】
【発明が解決しようとする課題】
【０００４】
特許文献１に開示されているような技術では、監視員等のユーザは、表示された監視対象月間および比較対象月間の消費電力量に基づき建物内のテナントの監視作業を行うが、その際、表示された全ての監視対象月間および比較対象月間の消費電力量の中から、例えば、増減が大きい等、監視したい消費電力量を絞り込む作業を必要とし、監視作業が効率よく行えていないという課題があった。
特に、表示される監視対象期間および比較対象期間の情報が多ければ多いほど、監視したい消費電力量を絞り込む作業に労力を要する。
なお、特許文献１に開示されているような技術では、上述のとおり、消費電力量の削減率を示すグラフ等、監視対象期間の情報と比較対象期間の情報との比較結果を表示可能にはしている。
しかしながら、当該比較結果は、比較対象期間の情報と比較対象期間の情報とを対応させて表示させた後、監視したい情報を絞り込む作業の一助となる情報に過ぎず、選択された監視対象期間の情報と比較対象期間の情報とを対応させて表示させる段階になってはじめて、当該比較対象期間の情報と比較対象期間の情報とともに表示される。
そのため、ユーザは、結局、まずは表示された全ての比較結果の中から、所望の比較結果を絞り込む作業が必要となり、依然として、情報を絞り込む作業に労力を要し、監視作業が効率よく行えているとはいえなかった。
【０００５】
この発明は、上記のような課題を解決するためになされたもので、比較対象とする監視対象期間および比較対象期間の監視情報の詳細を、当該監視情報の比較結果に基づいて絞り込んだ上で表示させることができる情報表示制御装置を提供することを目的としている。
【課題を解決するための手段】
【０００６】
この発明に係る情報表示制御装置は、１つまたは複数の監視対象において収集された、監視対象期間および比較対象期間の監視情報を表示させるための基本条件の設定を受け付ける表示条件受付部と、表示条件受付部が受け付けた基本条件に基づき、監視対象期間および比較対象期間の監視情報を取得する計測値取得部と、計測値取得部が取得した、監視対象期間の監視情報と比較対象期間の監視情報とを比較する比較部と、比較部による比較結果と、どの監視対象から収集された監視対象期間および比較対象期間の監視情報であるかを特定するための項目とが対応付けられた表示対象項目一覧を一覧表示領域に表示させる一覧表示制御部と、一覧表示制御部が表示させた表示対象項目一覧から、１つの項目の選択指示を受け付ける詳細表示受付部と、計測値取得部が取得した監視対象期間および比較対象期間の監視情報と、詳細表示受付部が受け付けた選択指示に基づき、選択指示で選択された項目に対応する、監視対象期間および比較対象期間の監視情報を、詳細表示領域に表示させる詳細表示制御部とを備えたものである。
【発明の効果】
【０００７】
この発明によれば、比較対象とする監視対象期間および比較対象期間の監視情報の詳細を、当該監視情報の比較結果に基づいて絞り込んだ上で表示させることができる。
【図面の簡単な説明】
【０００８】
【図１】この発明の実施の形態１の情報表示制御システムの構成を示す図である。
【図２】この発明の実施の形態１に係る情報表示制御装置の動作を説明するフローチャートである。
【図３】この実施の形態１において、受付画面表示制御部が表示装置に表示させる条件設定画面の一例のイメージを説明する図である。
【図４】実施の形態１において、取得制御情報作成部が作成する取得制御情報の内容の一例を示す図である。
【図５】実施の形態１において、計測値取得部が比較用データ作成部および表示制御部に出力する計測値関連情報の一例を示す図である。
【図６】実施の形態１において、比較用データ作成部が作成する比較用データの内容の一例を示す図である。
【図７】実施の形態１において、比較部が作成する比較結果情報の内容の一例を示す図である。
【図８】実施の形態１において、一覧表示制御部が表示対象項目一覧を表示装置に表示させた表示画面の一例を示す図である。
【図９】実施の形態１において、一覧表示制御部が表示対象項目一覧を表示装置に表示させた表示画面のその他の一例を示す図である。
【図１０】実施の形態１において、一覧表示制御部が表示対象項目一覧を表示装置に表示させた表示画面のその他の一例を示す図である。
【図１１】この実施の形態１において、詳細表示制御部が表示装置に監視対象期間および比較対象期間の空調機器の消費電力量を表示させた表示画面の一例を示す図である。
【発明を実施するための形態】
【０００９】
以下、この発明の実施の形態について図面を参照しながら詳細に説明する。
実施の形態１．
図１は、この発明の実施の形態１の情報表示制御システムの構成を示す図である。
情報表示制御システムは、図１に示すように、情報表示制御装置１と、サーバ２と、施設内の設備（Ａ）３−１〜設備（Ｇ）３−７と、表示装置４とから構成されている。
情報表示制御装置１と、サーバ２と、設備（Ａ）３−１〜設備（Ｇ）３−７とは、ネットワークを介して接続される。また、情報表示制御装置１と表示装置４とは、ネットワークを介して接続される。情報表示制御装置１が表示装置４を備えるものとしてもよい。
情報表示制御装置１と、サーバ２とは、ソフトウェアに基づくＣＰＵを用いたプログラム処理によって実行される。
【００１０】
情報表示制御装置１は、設備（Ａ）３−１〜設備（Ｇ）３−７に設置された、監視対象となる各種機器で収集された監視情報のうち、監視対象期間の監視情報、および、当該監視対象期間よりも過去の比較対象期間の監視情報をサーバ２から取得し、当該取得した監視対象期間の監視情報および比較対象期間の監視情報に基づく情報を表示装置４に表示させる。
監視対象となる各種機器で収集された監視情報とは、例えば、各種機器で計測された計測値である。
【００１１】
監視対象期間とは、管理者等のユーザが解析等を行う対象となる監視情報が監視対象から収集された期間をいい、比較対象期間とは、監視対象期間に収集された監視情報との比較対象となる監視情報が監視対象から収集された期間をいう。
この実施の形態１の情報表示制御システムでは、例えば、情報表示制御装置１は、監視対象期間に監視対象から収集された監視情報と、比較対象期間に監視対象から収集された監視情報との比較結果に関する情報、および、監視対象期間に監視対象から収集された監視情報と比較対象期間に監視対象から収集された監視情報の詳細情報を、表示装置４に表示させ、ユーザは、表示装置４に表示された監視情報に関する情報を確認して、監視対象期間に監視対象から収集された監視情報の解析等を行う。
【００１２】
表示装置４は、例えば、ディスプレイ等であり、情報表示制御装置１の制御に基づき、情報表示制御装置１がサーバ２から取得した、監視対象期間および比較対象期間に監視対象から収集された監視情報に関する情報を表示する。
【００１３】
サーバ２は、例えば、常時または１分間隔等、予め設定された周期で、情報表示制御システム内の設備（Ａ）３−１〜設備（Ｇ）３−７に設置された、監視対象となる各種機器から監視情報を取得し、取得した監視情報を、機器ごとに、収集日時の情報と紐付けて蓄積する。
【００１４】
設備（Ａ）３−１〜設備（Ｇ）３−７は、例えば、常時または１分間隔等予め設定された周期で、当該設備（Ａ）３−１〜設備（Ｇ）３−７内に設置された、監視対象となる各種機器から収集された監視情報を、サーバ２に送信する。
具体的には、例えば、設備（Ａ）３−１〜設備（Ｇ）３−７に備えられた制御装置（図示省略）が、各種機器で収集された監視情報を常時取得し、必要に応じて取得した監視情報を必要に応じて積算等して機器ごとに保持しておき、予め設定された周期になると、保持しておいた監視情報をサーバ２に送信する。
【００１５】
なお、サーバ２が設備（Ａ）３−１〜設備（Ｇ）３−７から監視情報を取得する周期、および、設備（Ａ）３−１〜設備（Ｇ）３−７の制御装置が、各種機器で収集された監視情報を取得する周期は、適宜設定可能である。
【００１６】
また、この実施の形態１では、図１に示すように、情報表示制御システムは、設備（Ａ）３−１〜設備（Ｇ）３−７の７つの設備を備えるものとするが、これに限らず、情報表示制御システムは、１つ以上の設備を備えるものであればよい。
以下の説明において、設備（Ａ）３−１〜設備（Ｇ）３−７を、まとめて設備３ともいうものとする。
各設備３に設置された、監視対象となる機器は、設備３ごとに、複数設置されてもよい。また、ある設備３には、監視対象となる機器が設置されていなくてもよい。具体的には、例えば、設備（Ａ）３−１〜設備（Ｆ）３−６は監視対象となる機器が設置されているが、設備（Ｇ）３−７には、監視対象となる機器が設置されていないものであってもよい。１つ以上の設備のいずれかにおいて、１つ以上の監視対象となる機器が１つ以上設置されていればよい。
【００１７】
また、この実施の形態１では、一例として、情報表示制御システムは、ビル等の施設を監視する監視システムに適用され、監視対象となる機器は設備３に設置された空調機器であり、当該空調機器で収集された消費電力量の計測値を監視情報として、以下説明する。
サーバ２は、各設備３に設置された空調機器から消費電力量の計測値を取得して蓄積し、情報表示制御装置１は、サーバ２に蓄積された、監視対象期間および比較対象期間に設備３に設置された空調機器で計測された消費電力量の計測値に関する情報を表示装置４に表示させるものとする。
以下の説明においては、各設備３に設置された空調機器で計測され収集された、空調機器の消費電力量の計測値を、単に、空調機器の消費電力量ともいうものとする。
【００１８】
情報表示制御装置１は、指示受付部１１と、取得制御情報作成部１２と、計測値取得部１３と、比較用データ作成部１４と、比較部１５と、表示制御部１６とを備える。
【００１９】
指示受付部１１は、ユーザから各種指示等を受け付ける。
指示受付部１１は、詳細表示受付部１１１と、表示条件受付部１１２とを備える。
詳細表示受付部１１１は、一覧表示制御部１６２が表示させた表示対象項目一覧から、ユーザによる、どの空調機器から収集された監視対象期間および比較対象期間の消費電力量の計測値であるかを特定するための項目を１つ選択する選択指示を受け付ける。
具体的には、ユーザは、表示対象項目一覧から、どの空調機器から収集された監視対象期間および比較対象期間の消費電力量の詳細を表示させるかを決定し、例えば、入力装置から、当該所望の空調機器から収集された監視対象期間および比較対象期間の消費電力量の計測値であることを示す情報と対応付けられた詳細表示ボタンをクリックし、選択指示を行う。どの空調機器から収集された監視対象期間および比較対象期間の消費電力量の計測値であるかを示す情報、および、詳細表示ボタンについては、図面等を用いて後述する。
詳細表示受付部１１１は、当該ユーザからの選択指示を受け付ける。
【００２０】
表示条件受付部１１２は、表示装置４に表示された条件設定画面からユーザによって行われた、各設備３に設置された空調機器で収集された消費電力量に関する情報を表示させるための基本条件の設定を受け付ける。
ユーザは、例えば、表示装置４に表示された条件設定画面を確認し、入力装置を操作して、表示装置４に表示させる監視対象期間および比較対象期間の消費電力量を比較、または、表示させる際の基本条件を入力する。表示条件受付部１１２は、当該入力装置から入力された基本条件に関する情報を受け付ける。表示条件受付部１１２は、受け付けた基本条件に関する情報を、取得制御情報作成部１２および表示制御部１６に出力する。
表示条件受付部１１２が受け付ける基本条件に関する情報の詳細については、図面等を用いて後述する。
【００２１】
取得制御情報作成部１２は、表示条件受付部１１２が出力した基本条件に関する情報に基づき、サーバ２から監視対象期間および比較対象期間の消費電力量を取得するための取得制御情報を作成する。
取得制御情報作成部１２は、監視対象期間および比較対象期間の消費電力量を日単位で比較する場合（＝日報ともいうものとする）、月単位で比較する場合（＝月報ともいうものとする）、年単位で比較する場合（＝年報ともいうものとする）のそれぞれの場合について、取得制御情報を作成する。取得制御情報作成部１２は、取得制御情報に日報、月報、または年報を示す区分の情報を付与し、日報、月報、年報のいずれの取得制御情報であるかが識別できるようにする。取得制御情報の詳細については、図面等を用いて後述する。
取得制御情報作成部１２は、作成した取得制御情報を計測値取得部１３に出力する。
【００２２】
計測値取得部１３は、取得制御情報作成部１２から出力された取得制御情報に基づき、サーバ２から、監視対象期間および比較対象期間の消費電力量を取得する。
また、計測値取得部１３は、取得した、監視対象期間および比較対象期間の消費電力量に基づき、必要に応じて、所定の処理を行い、計測値関連情報として比較用データ作成部１４および表示制御部１６に出力する。なお、計測値取得部１３は、比較用データ作成部１４および表示制御部１６に出力する計測値関連情報には、取得制御情報に付与されていた区分の情報も付与するようにする。
所定の処理とは、具体的には、以下のとおりである。
まず、計測値取得部１３は、サーバ２から取得した消費電力量に、登録番号およびデータ名の情報を付与し、消費電力量と登録番号およびデータ名とを対応付ける。登録番号およびデータ名は、予め決められており、どの空調機器で収集された消費電力量に関する情報であるかを示す情報である。すなわち、当該登録番号およびデータ名は、監視対象期間および比較対象期間に消費電力量の計測値を収集した空調機器単位にユニークな情報である。詳細は図面等を用いて後述する。
例えば、計測値取得部１３は、設備（Ａ）３−１において収集された空調機器の消費電力量には、登録番号「２」、データ名「設備Ａ消費電力量」を付与する。
【００２３】
また、計測値取得部１３は、登録番号ごとに、監視対象期間の空調機器の消費電力量および比較対象期間の空調機器の消費電力量それぞれに対して、集計処理を行う。集計処理の詳細については、後述する。
【００２４】
比較用データ作成部１４は、計測値取得部１３から出力された計測値関連情報に基づき、監視対象期間の消費電力量と比較対象期間の消費電力量とを比較するための比較用データを作成する。
具体的には、比較用データ作成部１４は、計測値関連情報に付与されている区分単位で、登録番号ごとに、監視対象期間の消費電力量および比較対象期間の消費電力量の合計値をそれぞれ算出する。また、比較用データ作成部１４は、区分単位で、登録番号ごとに、監視対象期間の消費電力量および比較対象期間の消費電力量の最大値をそれぞれ特定する。また、比較用データ作成部１４は、区分単位で、登録番号ごとに、監視対象期間の消費電力量および比較対象期間の消費電力量の最小値をそれぞれ特定する。また、比較用データ作成部１４は、区分単位で、登録番号ごとに、監視対象期間の消費電力量および比較対象期間の消費電力量の平均値をそれぞれ算出する。
そして、比較用データ作成部１４は、区分単位で、登録番号ごとに、算出または特定した、合計値、最大値、最小値、および、平均値が紐付けられた比較用データを作成する。比較用データの詳細については、図面等を用いて後述する。
比較用データ作成部１４は、作成した比較用データを比較部１５に出力する。
【００２５】
比較部１５は、比較用データ作成部１４が出力した比較用データに基づき、登録番号ごとに、すなわち、消費電力量が収集された空調機器ごとに、監視対象期間の消費電力量と、比較対象期間の消費電力量との比較を行い、比較対象期間の消費電力量に対する監視対象期間の消費電力量の増減率を算出する。
具体的には、比較部１５は、登録番号ごとに、監視対象期間の消費電力量の合計値と、比較対象期間の消費電力量の合計値とを比較し、増減率を算出する。また、比較部１５は、登録番号ごとに、監視対象期間の消費電力量の最大値と、比較対象期間の消費電力量の最大値とを比較し、増減率を算出する。また、比較部１５は、登録番号ごとに、監視対象期間の消費電力量の最小値と、比較対象期間の消費電力量の最小値とを比較し、増減率を算出する。また、比較部１５は、登録番号ごとに、監視対象期間の消費電力量の平均値と、比較対象期間の消費電力量の平均値とを比較し、増減率を算出する。
なお、比較部１５は、上記動作を、区分単位で行う。
比較部１５は、区分単位で、登録番号ごとに、算出した、合計値の増減率、最大値の増減率、最小値の増減率、平均値の増減率が紐づけられた比較結果情報を作成し、表示制御部１６に出力する。
【００２６】
表示制御部１６は、各種情報を表示装置４に表示させる。
表示制御部１６は、受付画面表示制御部１６１と、一覧表示制御部１６２と、詳細表示制御部１６３とを備える。
【００２７】
受付画面表示制御部１６１は、情報表示制御装置１の制御部（図示省略）の制御に基づき、条件設定画面を表示装置４に表示させる。
例えば、ユーザは、入力装置を操作して条件設定画面表示指示を入力し、当該条件設定画面表示指示を受け付けると、制御部は、受付画面表示制御部１６１に対して、条件設定画面を表示させる。条件設定画面の詳細については、図面等を用いて後述する。
【００２８】
一覧表示制御部１６２は、表示条件受付部１１２が出力した基本条件に関する情報と、比較部１５が出力した比較結果情報とに基づき、表示対象項目一覧を表示装置４の表示画面の一覧表示領域に表示させる。表示対象項目一覧の詳細については、図面等を用いて後述する。
【００２９】
詳細表示制御部１６３は、詳細表示受付部１１１が、表示対象項目一覧のうち、どの監視対象から収集された監視対象期間および比較対象期間の監視情報であるかを特定するための項目、具体的には、詳細表示ボタンを選択する選択指示を受け付けると、計測値取得部１３から出力された計測値関連情報と、詳細表示受付部１１１が受け付けた選択指示に基づき、当該選択指示で選択された項目に対応する、監視対象期間および比較対象期間の空調機器の消費電力量を、表示装置４の詳細表示領域に表示させる。
【００３０】
この実施の形態１に係る情報表示制御装置１の動作について説明する。
以下の動作説明においては、監視対象期間は、ユーザが空調機器の消費電力量に関する情報を表示させる処理を行った日時の属する年または年度のうちの、指定された期間であり、比較対象期間は、当該処理を行った日時の属する年または年度の前年のうちの、当該監視対象期間に対応する期間であるとする。
また、ユーザは、２０１７年２月１日１５：００に、監視対象期間の空調機器の消費電力量に関する情報を表示させる処理を行い、当該消費電力量の解析等を行ったものとする。
【００３１】
図２は、この発明の実施の形態１に係る情報表示制御装置１の動作を説明するフローチャートである。
指示受付部１１の表示条件受付部１１２は、表示装置４に表示された条件設定画面からユーザによって行われた、各設備３に備えられた空調機器で収集された消費電力量に関する情報を表示させるための基本条件の設定を受け付ける（ステップＳＴ２０１）。
情報表示制御装置１の制御部は、例えば、ユーザからの条件設定画面受付指示を受け付けると、受付画面表示制御部１６１に対して、条件設定画面表示指示を出力する。受付画面表示制御部１６１は、制御部から受付画面表示指示が出力されると、表示装置４に条件設定画面を表示させる。ユーザは、例えば、入力装置を操作して条件設定画面表示指示を入力する。
なお、これは一例に過ぎず、例えば、制御部は、情報表示制御装置１に電源が投入されたことを検知すると、受付画面表示制御部１６１に対して、条件設定画面表示指示を出力する等、その他の情報をトリガーに条件設定画面を表示させるようにしてもよい。
【００３２】
受付画面表示制御部１６１によって、条件設定画面が表示装置４に表示されると、ユーザは、当該条件設定画面を確認し、例えば、入力装置を操作して、基本条件の入力を行う。表示条件受付部１１２は、ユーザにより入力された基本条件に関する情報を受け付けることで、基本条件の設定を受け付ける。
【００３３】
ここで、図３は、この実施の形態１において、受付画面表示制御部１６１が表示装置４に表示させる条件設定画面の一例のイメージを説明する図である。
条件設定画面には、各設備３に備えられた空調機器で収集された消費電力量に関する情報を表示させるための基本条件を入力するための入力部３０１〜３１０が表示される。
この実施の形態１では、基本条件とは、日報比較条件、月報比較条件、年報比較条件、表示対象項目選択条件、基準データ選択条件、および、ソート条件であるものとする。
【００３４】
日報比較条件は、監視対象期間の空調機器の消費電力量と、比較対象期間の空調機器の消費電力量とを日単位で比較する場合の条件であり、受付画面表示制御部１６１は、条件設定画面に、当該日報比較条件に関し、比較時間帯入力部３０１と、昼間時間帯入力部３０２とを表示させる。
【００３５】
ユーザは、監視対象期間の空調機器の消費電力量と比較対象期間の空調機器の消費電力量とを日単位で比較する場合、比較時間帯を、「全日」とするか、「昼間時間帯」とするか、「夜間時間帯」とするかを、例えば、入力装置をクリック等して比較時間帯入力部３０１に設定する。
「全日」は、監視対象期間の空調機器の消費電力量と比較対象期間の空調機器の消費電力量とを日単位で比較する場合に、全日、すなわち、２４時間分の空調機器の消費電力量を比較することをあらわす。
「昼間時間帯」は、監視対象期間の空調機器の消費電力量と比較対象期間の空調機器の消費電力量とを日単位で比較する場合に、昼間の空調機器の消費電力量のみを比較することをあらわす。
「夜間時間帯」は、監視対象期間の空調機器の消費電力量と比較対象期間の空調機器の消費電力量とを日単位で比較する場合に、夜間の空調機器の消費電力量のみを比較することをあらわす。「夜間時間帯」は、２４時間のうち、「昼間時間帯」を除く時間帯となる。
【００３６】
また、ユーザは、例えば、入力装置を操作して、「昼間時間帯」の定義、すなわち、「昼間時間帯」とみなす時間帯を、昼間時間帯入力部３０２に入力する。なお、「昼間時間帯」は、少なくとも、比較時間帯入力部３０１において、「昼間時間帯」または「夜間時間帯」が設定された場合に入力されればよい。
ここでは、図３に示すように、ユーザは、監視対象期間の空調機器の消費電力量と、比較対象期間の空調機器の消費電力量とを、日単位で比較する場合、「全日」で比較するように設定したものとする。
【００３７】
月報比較条件は、監視対象期間の空調機器の消費電力量と、比較対象期間の空調機器の消費電力量とを月単位で比較する場合の条件であり、受付画面表示制御部１６１は、条件設定画面に、当該月報比較条件に関し、基準日整合入力部３０３を表示させる。
ユーザは、監視対象期間の空調機器の消費電力量と、比較対象期間の空調機器の消費電力量とを月単位で比較する場合、空調機器の消費電力量のつきあわせかたを、「日付整合」とするか、「曜日整合」とするかを、例えば、入力装置をクリック等して基準日整合入力部３０３に設定する。
【００３８】
「日付整合」は、監視対象期間の月内の各日に収集された空調機器の消費電力量について、当該空調機器の消費電力量が収集された日付と同一の日付に収集された比較対象期間の空調機器の消費電力量と、比較することをあらわす。
例えば、監視対象期間を、２０１７年１月とすると、比較対象期間は、２０１６年１月となり、２０１７年１月１日〜１月３１日の間に収集された空調機器の消費電力量が、２０１６年１月１日〜１月３１日の間に収集された空調機器の消費電力量と、１日ずつ比較されることになる。
ただし、監視対象期間がうるう年の２月を含む場合は、監視対象期間を、その年の２月１日〜２月２９日までとし、比較対象期間を、監視対象期間の前年の２月１日〜３月１日までとする。逆に、比較対象期間がうるう年の２月を含む場合、監視対象期間も比較対象期間も２月１日〜２月２８日とする。
【００３９】
「曜日整合」は、監視対象期間の空調機器の消費電力量が収集された日付の曜日と、比較対象期間の空調機器の消費電力量が収集された日付の曜日とが一致しない場合、比較対象期間の空調機器の消費電力量が収集された曜日が、監視対象期間の空調機器の消費電力量が収集された曜日と同一となるよう、つきあわせる比較対象期間の日付を調整した上で比較することをあらわす。
例えば、監視対象期間を２０１７年１月、比較対象期間を２０１６年１月とすると、２０１７年１月１日は日曜日だが、２０１６年１月１日は金曜日である。よって、監視対象期間に曜日をあわせるため、比較対象期間の日付を調整し、２０１７年１月１日（日）〜１月３１日（火）の間に収集された空調機器の消費電力量と、２０１６年１月３日（日）〜２月２日（火）の間に収集された空調機器の消費電力量とが、１日ずつ比較されるようにする。
【００４０】
「日付整合」では、曜日を考慮しないので、例えば、休日と平日が比較対象となる場合が発生する。しかしながら、休日と平日とでは、設備３における空調機器の稼動状況が大きく異なることがあり、空調機器の消費電力量の比較結果が、当該稼動状況の違いに影響されることがあり得る。このように、曜日によって稼動状況が異なり、当該稼動状況が異なることに影響される差分が発生することを回避する必要がある場合に、ユーザは「曜日整合」を設定する。なお、これは一例に過ぎず、ユーザは、適宜「日付整合」とするか「曜日整合」とするかを選択し、設定することができる。
【００４１】
ここでは、図３に示すように、ユーザは、監視対象期間の空調機器の消費電力量と比較対象期間の空調機器の消費電力量とを月単位で比較する場合、「曜日整合」で比較するように設定したものとする。
【００４２】
年報比較条件は、監視対象期間の空調機器の消費電力量と、比較対象期間の空調機器の消費電力量とを年単位で比較する場合の条件であり、受付画面表示制御部１６１は、条件設定画面に、当該年報比較条件に関し、比較単位入力部３０４を表示させる。
ユーザは、監視対象期間の空調機器の消費電力量と比較対象期間の空調機器の消費電力量とを年単位で比較する場合、空調機器の消費電力量のつきあわせかたを、「年比較」とするか、「年度比較」とするかを、例えば、入力装置をクリック等して比較単位入力部３０４に設定する。
【００４３】
「年比較」は、比較の対象範囲を１月〜１２月とすることをあらわす。
例えば、監視対象期間を２０１７年、比較対象期間を２０１６年とすると、２０１７年１月〜１２月の間に収集された空調機器の消費電力量が、２０１６年１月〜１２月の間に収集された空調機器の消費電力量と、１か月ずつ比較されることになる。
「年度比較」は、比較の対象範囲を４月〜翌年３月とすることをあらわす。
例えば、監視対象期間を２０１７年、比較対象期間を２０１６年とすると、２０１７年４月〜３月の間に収集された空調機器の消費電力量が、２０１６年４月〜２０１７年３月の間に収集された空調機器の消費電力量と、１か月ずつ比較されることになる。
【００４４】
ここでは、図３に示すように、ユーザは、監視対象期間の空調機器の消費電力量と比較対象期間の空調機器の消費電力量とを年単位で比較する場合、「年度比較」で比較するように設定したものとする。
【００４５】
表示対象項目選択条件は、表示対象項目一覧に表示させる、比較対象期間の空調機器の消費電力量に対する監視対象期間の空調機器の消費電力量の増減率を、「合計値」に基づいて算出されたものとするか、「最大値」に基づいて算出されたものとするか、「最小値」に基づいて算出されたものとするか、「平均値」に基づいて算出されたものとするかの条件であり、受付画面表示制御部１６１は、条件設定画面に、当該条件を設定するための表示対象項目入力部３０５を表示させる。なお、表示対象項目一覧は、一覧表示制御部１６２が表示装置４に表示させるものであるが、当該表示対象項目一覧の詳細については後述する。
【００４６】
ユーザは、増減率を、「合計値」に基づいて算出されたものとするか、「最大値」に基づいて算出されたものとするか、「最小値」に基づいて算出されたものとするか、「平均値」に基づいて算出されたものとするかを、例えば、入力装置をクリック等して表示対象項目入力部３０５に設定する。
なお、ユーザは、「合計値」、「最大値」、「最小値」、「平均値」の少なくとも１つを設定するようになっていればよく、「合計値」、「最大値」、「最小値」、「平均値」のうち複数の条件を設定してもよい。
【００４７】
ここでは、図３に示すように、ユーザは、表示項目一覧に、「合計値」、「最大値」、および、「最小値」に基づいて算出された、空調機器の消費電力量の増減率を表示項目一覧に表示させるように設定したものとする。
【００４８】
基準データ選択条件は、監視対象期間の空調機器の消費電力量と、比較対象期間の空調機器の消費電力量とを、日単位（日報）、月単位（月報）、年単位（年報）で比較する際に、それぞれ、監視対象期間を指定するための条件である。
【００４９】
受付画面表示制御部１６１は、条件設定画面に、監視対象期間の空調機器の消費電力量と、比較対象期間の空調機器の消費電力量とを日単位で比較する場合に「本日」とするか「前日」とするかを設定するための日報選択入力部３０６を表示させる。
「本日」とする場合、例えば、処理日が２０１７年２月１日であったとすると、監視対象期間は２０１７年２月１日の０：００〜２４：００となる。ただし、監視対象期間の空調機器の消費電力量と比較対象期間の空調機器の消費電力量とを比較する際には、空調機器の消費電力量は、処理時点で空調機器から収集され、取得された消費電力量の計測値が使用される。すなわち、処理時点が２０１７年２月１日の１５：００であったとすると、２０１７年２月１日の０：００〜１５：００までにサーバ２から取得された空調機器の消費電力量を監視対象期間の空調機器の消費電力量、２０１６年２月１日の０：００〜１５：００までにサーバ２から取得された空調機器の消費電力量を比較対象期間の空調機器の消費電力量として、比較が行われることになる。
「前日」とする場合、例えば、処理日が２０１７年２月１日であったとすると、監視対象期間は２０１７年１月３１日の０：００〜２４：００までとなる。比較対象期間は、２０１６年１月３１日の０：００〜２４：００までとなる。
なお、処理日とは、ユーザが、監視対象期間の空調機器の消費電力量に関する情報を表示させる処理を行った日をいう。
【００５０】
また、受付画面表示制御部１６１は、条件設定画面に、監視対象期間の空調機器の消費電力量と、比較対象期間の空調機器の消費電力量とを月単位で比較する場合に「本月」とするか「前月」とするかを設定するための月報選択入力部３０７を表示させる。
「本月」とする場合、例えば、処理月が２０１７年２月であったとすると、監視対象期間は、例えば、２０１７年２月１日〜２月２８日までとなる（うるう年の場合は２月２９日まで）。なお、比較対象期間は、例えば、「日付整合」の場合、２０１６年２月１日〜２月２８日までとなる（うるう年の場合は３月１日まで）。
ただし、監視対象期間の空調機器の消費電力量と比較対象期間の空調機器の消費電力量とを比較する際には、空調機器の消費電力量は、処理時点で空調機器から収集され、取得された消費電力量が使用される。すなわち、処理日が２０１７年２月１日であったとすると、２０１７年２月１日に取得された空調機器の消費電力量を監視対象期間の空調機器の消費電力量、２０１６年２月１日に取得された空調機器の消費電力量を比較対象期間の空調機器の消費電力量として、比較が行われることになる。
【００５１】
「前月」とする場合、例えば、処理月が２０１７年２月であったとすると、監視対象期間は２０１７年１月１日〜１月３１日までとする。比較対象期間は、例えば、日付整合の場合、２０１６年１月１日〜１月３１日までとなる。
なお、処理月とは、ユーザが、監視対象期間の空調機器の消費電力量に関する情報を表示させる処理を行った日が属する月をいう。
【００５２】
また、受付画面表示制御部１６１は、条件設定画面に、年報選択入力部３０８を、年単位で比較する場合に「本年」とすることが設定された状態で表示させる。
この実施の形態１では、年単位で比較する場合に、監視対象期間は、「本年」、すなわち、処理日を含む年または年度に固定されるものとする。
【００５３】
ユーザは、監視対象期間の空調機器の消費電力量と、比較対象期間の空調機器の消費電力量とを日単位で比較する場合に「本日」とするか「前日」とするかを、例えば、入力装置を操作して、日報選択入力部３０６に設定する。
また、ユーザは、監視対象期間の空調機器の消費電力量と、比較対象期間の空調機器の消費電力量とを月単位で比較する場合に、「本月」とするか「前月」とするかを、月報選択入力部３０７に設定する。
ここでは、図３に示すように、ユーザは、日単位で空調機器の消費電力量を比較する場合に監視対象期間を「前日」とし、月単位で計測値を比較する場合に「前月」とするよう設定したものとする。
【００５４】
ソート条件は、表示対象項目一覧において、どの空調機器で収集された、監視対象期間および比較対象期間の消費電力量に関する情報であるかを示す情報である登録番号およびデータ名と、当該登録番号およびデータ名と対応付けられた増減率の情報の並び順を指定するための条件である。
受付画面表示制御部１６１は、条件設定画面に、「データＮｏ．順」とするか、「減少率上位」とするか、「増加率上位」とするかを設定するためのソート順入力部３０９、および、ソートキー入力部３１０を表示させる。
【００５５】
「データＮｏ．順」は、表示対象項目一覧において、どの空調機器から収集された、監視対象期間および比較対象期間の消費電力量であるかを示す登録番号およびデータ名と、当該登録番号およびデータ名と対応付けられた増減率の情報とが、登録番号順に表示される並び順である。
なお、増減率とは、比較部１５が出力した比較結果情報に基づく情報である。詳細は後述する。
表示項目一覧では、当該登録番号およびデータ名が表示され、ユーザは、当該登録番号およびデータ名から、どの設備３の空調機器から収集された、監視対象期間および比較対象期間の消費電力量に関する情報を示すものなのかを特定することができる。
【００５６】
「減少率上位」は、表示対象項目一覧において、どの空調機器から収集された、監視対象期間および比較対象期間の消費電力量であるかを示す登録番号およびデータ名と、当該登録番号およびデータ名と対応付けられた増減率とが、比較対象期間の空調機器の消費電力量に対する監視対象期間の空調機器の消費電力量の減少率の大きい順に表示される並び順である。
【００５７】
「増加率上位」は、表示対象項目一覧において、どの空調機器から収集された、監視対象期間および比較対象期間の消費電力量の計測値であるかを示す登録番号およびデータ名と、当該登録番号およびデータ名と対応付けられた増減率とが、比較対象期間の空調機器の消費電力量に対する監視対象期間の空調機器の消費電力量の増加率の大きい順に表示される並び順である。
【００５８】
ユーザは、表示対象項目一覧における、登録番号およびデータ名と、当該登録番号およびデータ名と対応付けられた増減率の並び順について、「データＮｏ．順」とするか、「減少率上位」とするか、「増加率上位」とするかを、例えば、入力装置を操作して、ソート順入力部３０９に設定する。
また、ユーザは、「減少率上位」または「増加率上位」を設定した場合には、例えば、入力装置を操作して、ソートキー入力部３１０に、登録番号およびデータ名と、当該登録番号およびデータ名と対応付けられた増減率の並び換えのキーとなる項目を入力する。
具体的には、ユーザは、ソートキー入力部３１０に、「合計値」、「最大値」、「最小値」、「平均値」のいずれかの情報を入力する。
なお、ソートキーの設定方法はこれに限らず、例えば、受付画面表示制御部１６１は、ソート順入力部３０９に「減少率上位」または「増加率上位」の設定を受け付けると、ソートキー入力部３１０に「合計値」、「最大値」、「最小値」、または、「平均値」をプルダウン表示させ、ユーザは所望の項目をクリックする等によって入力してもよい。
【００５９】
なお、受付画面表示制御部１６１は、ソート順入力部３０９に「データＮｏ．順」の設定を受け付けると、ソートキー入力部３１０への入力を無効とするようにする。
ここでは、図３に示すように、ユーザは、見出しの並び替えのキーとなる項目を「データＮｏ．順」とするよう設定したものとする。
【００６０】
以上のように、ユーザは、各条件の入力部３０１〜３１０に基本条件を設定し、表示条件受付部１１２は、当該基本条件の設定を受け付ける。そして、表示条件受付部１１２は、受け付けた基本条件に関する情報を、取得制御情報作成部１２および表示制御部１６に出力する。
【００６１】
なお、図３では、条件設定画面は、日報比較、月報比較、年報比較、表示対象項目選択、基準データ選択、および、ソート条件の見出しを表示し、当該見出しに対応付けて、各条件の入力部３０１〜３１０が表示されている画面としたが、これは一例に過ぎず、ユーザが、予め決められた基本条件に関する情報を入力することができる画面になっていればよい。
【００６２】
図２のフローチャートに戻る。
取得制御情報作成部１２は、表示条件受付部１１２が出力した基本条件に関する情報に基づき、サーバ２から、監視対象期間および比較対象期間の消費電力量を取得するための取得制御情報を作成する（ステップＳＴ２０２）。
具体的には、取得制御情報作成部１２は、基本条件に関する情報に基づき、監視対象期間と、当該監視対象期間に対応する比較対象期間と、消費電力量の収集元である空調機器の情報とが紐付けられた取得制御情報を作成する。
【００６３】
このとき、取得制御情報作成部１２は、監視対象期間の空調機器の消費電力量と比較対象期間の空調機器の消費電力量とを日単位で比較する場合（区分＝日報とする）、監視対象期間の空調機器の消費電力量と比較対象期間の空調機器の消費電力量とを月単位で比較する場合（区分＝月報とする）、監視対象期間の空調機器の消費電力量と比較対象期間の空調機器の消費電力量とを年単位で比較する場合（区分＝年報とする）、それぞれについて、取得制御情報を作成する。
ここでは、日報の取得制御情報として、例えば、図４で示すような取得制御情報が作成される。
取得制御情報作成部１２は、作成した取得制御情報を計測値取得部１３に出力する。
【００６４】
計測値取得部１３は、取得制御情報作成部１２から出力された取得制御情報に基づき、サーバ２から、監視対象期間および比較対象期間の空調機器の消費電力量を取得する（ステップＳＴ２０３）。なお、計測値取得部１３は、取得制御情報に基づき、日報、月報、年報の区分ごとに、対応する空調機器の消費電力量を取得する。
計測値取得部１３は、取得した、監視対象期間および比較対象期間の空調機器の消費電力量に基づき、必要に応じて、所定の処理を行い、計測値関連情報として比較用データ作成部１４および表示制御部１６に出力する。
所定の処理とは、以下のとおりである。
まず、計測値取得部１３は、サーバ２から取得した空調機器の消費電力量を、登録番号およびデータ名の情報と対応付ける。
計測値取得部１３は、サーバ２から、当該登録番号およびデータ名の情報が付与された状態で、空調機器の消費電力量を取得してもよい。
【００６５】
また、計測値取得部１３は、登録番号ごとに、監視対象期間の空調機器の消費電力量および比較対象期間の空調機器の消費電力量それぞれに対して、以下の集計を行い、計測値関連情報を作成する。
【００６６】
計測値取得部１３は、日報については、例えば、１分単位等、予め決められた単位で消費電力量を集計する。ここでは、予め決められた単位を１分単位とする。計測値取得部１３は、集計した１分単位の監視対象期間および比較対象期間の空調機器の消費電力量を、１レコードにまとめ、登録番号およびデータ名と対応付けた計測値関連情報を作成する。
【００６７】
また、計測値取得部１３は、月報については、１日単位で空調機器の消費電力量を集計し、集計した１日単位の監視対象期間および比較対象期間の空調機器の消費電力量を、１レコードにまとめ、登録番号およびデータ名と対応付けた計測値関連情報を作成する。
【００６８】
また、計測値取得部１３は、年報については、１か月単位で消費電力量を集計、集計した１日単位の監視対象期間および比較対象期間の空調機器の消費電力量を、１レコードにまとめ、登録番号およびデータ名と対応付けた計測値関連情報を作成する。
【００６９】
また、計測値取得部１３は、日報、月報、年報ごとに、取得した消費電力量の合計値を集計し、集計した各消費電力量を１レコードにまとめ、登録番号「１」、データ名「全体の消費電力量の計測値」を付与した計測値関連情報を作成する。
この実施の形態１では、「全体の消費電力量の計測値」の登録番号は「１」とするが、これに限らず、他の登録番号としてもよい。ただし、「全体の消費電力量の計測値」の登録番号が、その他の、各設備３の空調機器の消費電力量にそれぞれ付与された登録番号よりも小さくなるようにする。すなわち、登録番号順に並べ替えを行った際に、「全体の消費電力量の計測値」が先頭になるようになるようにする。
【００７０】
なお、上述したような集計機能をサーバ２側が有している場合は、計測値取得部１３は、サーバ２側で集計された状態で、各設備３に設置された空調機器の消費電力量を取得するようにしてもよい。
【００７１】
図５は、実施の形態１において、計測値取得部１３が比較用データ作成部１４および表示制御部１６に出力する計測値関連情報の一例を示す図である。なお、図５は、一例として、計測値取得部１３は、図４に示したような取得制御情報に基づき、サーバ２から、監視対象期間および比較対象期間の各空調機器の消費電力量を取得し、計測値関連情報を作成したものとしている。
【００７２】
図５に示すように、監視対象期間および比較対象期間の各空調機器の消費電力量が、区分ごとに、登録番号およびデータ名が付与された情報として、比較用データ作成部１４および表示制御部１６に出力される。
図５において、例えば、日報の「設備Ａの空調機器の消費電力量」の監視対象期間計測値および比較対象期間計測値には、それぞれ、２０１７年１月３１日、または、２０１６年１月３１日の設備（Ａ）３−１の空調機器の消費電力量が１分ごとに集計され１レコードとして格納される。
また、例えば、月報の「設備Ａの空調機器の消費電力量」の監視対象期間計測値および比較対象期間計測値には、それぞれ、２０１７年１月、または、２０１６年１月の設備（Ａ）３−１の空調機器の消費電力量が１日ごとに集計され１レコードとして格納される。
また、例えば、年報の「設備Ａの空調機器の消費電力量」の監視対象期間計測値および比較対象期間計測値には、それぞれ、２０１７年、または、２０１６年の設備（Ａ）３−１の空調機器の消費電力量が１か月ごとに集計され１レコードとして格納される。
【００７３】
比較用データ作成部１４は、計測値取得部１３から出力された計測値関連情報に基づき、監視対象期間の空調機器の消費電力量と比較対象期間の空調機器の消費電力量とを比較するための比較用データを作成する（ステップＳＴ２０４）。
具体的には、比較用データ作成部１４は、計測値関連情報で付与されている区分単位で、登録番号ごとに、監視対象期間の空調機器の消費電力量および比較対象期間の空調機器の消費電力量の合計値をそれぞれ算出する。
また、比較用データ作成部１４は、区分単位で登録番号ごとに、監視対象期間の空調機器の消費電力量および比較対象期間の空調機器の消費電力量の最大値をそれぞれ特定する。
また、比較用データ作成部１４は、区分単位で登録番号ごとに、監視対象期間の空調機器の消費電力量および比較対象期間の空調機器の消費電力量の最小値をそれぞれ特定する。
また、比較用データ作成部１４は、区分単位で登録番号ごとに、監視対象期間の空調機器の消費電力量および比較対象期間の空調機器の消費電力量の平均値をそれぞれ算出する。
そして、比較用データ作成部１４は、区分単位で、登録番号ごとに、算出または特定した、合計値、最大値、最小値、および、平均値が紐付けられた比較用データとする。
【００７４】
図６は、実施の形態１において、比較用データ作成部１４が作成する比較用データの内容の一例を示す図である。
なお、説明の簡単のため、図６では、日報の比較用データのみ示しているが、比較用データ作成部１４は、月報および年報についても、登録番号ごとに、算出または特定した、合計値、最大値、最小値、および、平均値が紐付けられた比較用データを作成する。
比較用データ作成部１４は、作成した比較用データを比較部１５に出力する。
【００７５】
比較部１５は、比較用データ作成部１４が出力した比較用データに基づき、登録番号ごとに、すなわち、消費電力量が収集された空調機器ごとに、監視対象期間の消費電力量と、比較対象期間の消費電力量との比較を行い、比較対象期間の消費電力量に対する監視対象期間の消費電力量の増減率を算出する（ステップＳＴ２０５）。
具体的には、比較部１５は、登録番号ごとに、監視対象期間の空調機器の消費電力量の合計値と、比較対象期間の空調機器の消費電力量の合計値とを比較し、増減率を算出する。
また、比較部１５は、登録番号ごとに、監視対象期間の空調機器の消費電力量の最大値と、比較対象期間の空調機器の消費電力量の最大値とを比較し、増減率を算出する。
また、比較部１５は、登録番号ごとに、監視対象期間の空調機器の消費電力量の最小値と、比較対象期間の空調機器の消費電力量の最小値とを比較し、増減率を算出する。
また、比較部１５は、登録番号ごとに、監視対象期間の空調機器の消費電力量の平均値と、比較対象期間の空調機器の消費電力量の平均値とを比較し、増減率を算出する。
なお、比較部１５は、上記動作を、区分単位で行う。
比較部１５は、区分単位で、登録番号ごとに、算出した、合計値の増減率、最大値の増減率、最小値の増減率、平均値の増減率が紐づけられた比較結果情報を作成する。
【００７６】
図７は、実施の形態１において、比較部１５が作成する比較結果情報の内容の一例を示す図である。
なお、説明の簡単のため、図７では、日報の比較結果情報のみ示しているが、比較部１５は、月報および年報についても、登録番号ごとに、算出した、合計値の増減率、最大値の増減率、最小値の増減率、平均値の増減率が紐づけられた比較結果情報を作成する。
また、この実施の形態１では、図７に示すように、増減率は小数点１位までとし、小数点２位以下は切り捨てるものとしているが、これに限らず、例えば、小数点２位までとしてもよいし、小数点２位以下を切り上げるようにしてもよい。
比較部１５は、作成した比較結果情報を表示制御部１６に出力する。
【００７７】
一覧表示制御部１６２は、ステップＳＴ２０１において表示条件受付部１１２が出力した基本条件に関する情報と、ステップＳＴ２０５において比較部１５が出力した比較結果情報とに基づき、表示対象項目一覧を表示装置４の表示画面の一覧表示領域に表示させる（ステップＳＴ２０６）。
【００７８】
図８は、実施の形態１において、一覧表示制御部１６２が表示対象項目一覧を表示装置４に表示させた表示画面の一例を示す図である。
この実施の形態１では、一覧表示制御部１６２によって表示対象項目一覧が表示される表示初期画面として、表示装置４には、月報について、すなわち、月単位で監視対象期間および比較対象期間の空調機器の消費電力量を比較する場合について、表示対象項目一覧が表示されるものとし、図８は、当該初期画面の一例を示している。
【００７９】
図８に示すように、一覧表示制御部１６２は、表示装置４の表示画面の一覧表示領域８０２に、表示対象項目一覧を表示させる。
表示対象項目一覧には、登録番号（図８の８０２１参照）と、データ名（図８の８０２２）と、合計値の増減率（図８の８０２３参照）と、最大値の増減率（図８の８０２４参照）と、最小値の増減率（図８の８０２５参照）とが対応付けて表示される。
また、一覧表示制御部１６２は、これら登録番号、データ名、各増減率に対応付けて、詳細表示ボタン（図８の８０２６参照）を表示させる。
【００８０】
ここでは、上述のとおり、ユーザは、条件設定画面から、図３で示したような設定を行ったものとしている。すなわち、ユーザは、表示対象項目選択条件として、「合計値」、「最大値」、および、「最小値」を選択したものとしている。
よって、一覧表示制御部１６２は、基本条件に関する情報から、「合計値」、「最大値」、および、「最小値」が選択されたことを判別し、比較結果情報に基づいて、合計値の増減率、最大値の増減率、および、最小値の増減率を表示させるようにしている。
例えば、ユーザが条件設定画面において、さらに、「平均値」も選択していた場合は、一覧表示制御部１６２は、比較結果情報に基づいて、合計値の増減率、最大値の増減率、および、最小値の増減率に加え、平均値の増減率も表示させる。
【００８１】
また、ここでは、上述のとおり、ユーザは、条件設定画面から、図３で示したように、ソート条件として「データＮｏ．順」を選択したものとしている。
よって、一覧表示制御部１６２は、基本条件に関する情報から、「データＮｏ．順」が選択されたことを判別し、登録番号順に登録番号、データ名、各増減率の情報が並ぶように、表示対象項目一覧を表示させるようにしている。
これは一例に過ぎず、例えば、ユーザが、ソート条件として、合計値の「減少率上位」を選択していた場合、一覧表示制御部１６２は、比較結果情報に基づき、合計値の減少率の大きい順に、表示対象項目一覧を表示させる（図９参照）。
また、例えば、ユーザが、ソート条件として、合計値の「増加率上位」を選択していた場合、一覧表示制御部１６２は、比較結果情報に基づき、合計値の増加率の大きい順に、表示対象項目一覧を表示させる（図１０参照）。
このように、一覧表示制御部１６２が、ユーザの設定した並び順で、登録番号、データ名、各増減率の情報が並ぶように、表示対象項目一覧を表示させることで、ユーザは、より簡単に、所望の空調機器の監視対象期間および比較対象期間の消費電力量を選択することができる。またその結果、この後、より効率的に、比較対象とする監視対象期間および比較対象期間の消費電力量の詳細の解析等を行うことができる。
【００８２】
また、図８〜図１０に示すように、一覧表示制御部１６２は、表示対象項目一覧に表示させる増減率について、増加を表す場合と減少を表す場合とで、表示される領域の色を異ならせて表示させるようにしてもよい。また、一覧表示制御部１６２は、増加率について、当該増加率が表示される文字の色を、増加を表す場合と減少を表す場合とで異ならせるようにしてもよい。
これによって、ユーザは、監視対象期間と比較対象期間との比較の結果、監視対象期間の空調機器の消費電力量は、比較対象期間の空調機器の消費電力量に対して、増加したのか、減少したのかを把握しやすくなる。
【００８３】
一覧表示制御部１６２は、区分を表す見出しを区分表示部８０１に表示させる。
また、一覧表示制御部１６２は、当該区分表示部８０１から、表示される表示対象項目一覧をあらわす区分の切り替えを受け付けられるような表示をする。ここでは、例えば、一覧表示制御部１６２は、区分表示部８０１に、日報、月報、および、年報を示す情報がプルダウン表示されるようにする。具体的には、ここでは、例えば、一覧表示制御部１６２は、日報を示す「２０１７／１／３１」、月報を示す「２０１７／０１」、年報を示す「２０１６年度」の見出しをプルダウン表示するようにする。
ユーザは、区分を切り替えたい場合は、区分表示部８０１から、区分を表す見出しをプルダウン表示させ、例えば、入力装置を操作して区分を表す見出しをクリックすることで、所望の区分を指定する。
【００８４】
区分切替受付部（図示省略）は、区分が指定された旨の情報を受け付け、一覧表示制御部１６２に出力する。そして、一覧表示制御部１６２は、区分が指定された旨の情報で示される区分に対応する表示対象項目一覧および区分を表す見出しを、それぞれ、一覧表示領域８０２および区分表示部８０１に表示させる。
これにより、表示装置４に表示される表示対象項目一覧の切り替えが行われる。
【００８５】
なお、上記は一例に過ぎず、一覧表示制御部１６２は、区分表示部８０１に、区分の具体的な内容が判別できる見出しを表示させるようになっていればよい。また、一覧表示制御部１６２は、ユーザが、区分表示部８０１から、所望の区分を指定できるような表示を行うようになっていればよい。
【００８６】
また、ここでは、一覧表示制御部１６２は、初期画面として、月報の表示対象項目一覧が表示装置４に表示されるようにするものとしたが、これに限らず、日報または年報の表示対象項目一覧が表示装置４に表示されるようにしてもよい。また、ユーザから、予め、初期画面には、日報、月報、あるいは、年報のいずれの表示対象項目一覧をまず表示させるかの指定を受け付けるようにしてもよい。
【００８７】
ユーザは、ステップＳＴ２０６で一覧表示制御部１６２が表示させた表示対象項目一覧を確認し、表示対象項目一覧から、どの空調機器から収集された監視対象期間および比較対象期間の消費電力量の詳細を表示させるかを１つ決定し、当該決定した、所望の空調機器から収集された監視対象期間および比較対象期間の消費電力量の計測値であることを示す情報と対応付けられた項目の選択指示を入力する。
具体的には、ユーザは、表示対象項目一覧の登録番号、データ名、および、増減率の情報から、収集された消費電力量の詳細を表示させたい空調機器を選択し、例えば、入力装置から当該所望の空調機器と対応付けられた詳細表示ボタン（図８の８０２６参照）をクリックし、選択指示を行う。
詳細表示受付部１１１は、当該ユーザからの選択指示を受け付ける（ステップＳＴ２０７）。
【００８８】
詳細表示制御部１６３は、ステップＳＴ２０７において、詳細表示受付部１１１が、表示対象項目一覧のうち、どの空調機器から収集された監視対象期間および比較対象期間の消費電力量であるかを特定するための詳細表示ボタンの選択指示を受け付けると、ステップＳＴ２０３において計測値取得部１３から出力された計測値関連情報と、比較部１５から出力された比較結果情報とに基づき、当該選択指示で選択された詳細表示ボタンに対応する、監視対象期間および比較対象期間の空調機器の消費電力量を、表示装置４の表示画面の詳細表示領域に表示させる（ステップＳＴ２０８）。
【００８９】
図１１は、この実施の形態１において、詳細表示制御部１６３が表示装置４に監視対象期間および比較対象期間の空調機器の消費電力量を表示させた表示画面の一例を示す図である。
図１１に示すように、詳細表示制御部１６３は、表示画面の詳細表示領域１１０１に、ステップＳＴ２０７において受け付けた選択指示に対応する、監視対象期間および比較対象期間の空調機器の消費電力量を表示させる。
なお、この実施の形態１では、図１１に示すように、監視対象期間および比較対象期間の空調機器の消費電力量は、それぞれ、棒グラフで表示させるものとしているが、その他の表示方法であってもかまわない。
【００９０】
なお、図１１では、表示装置４の画面の詳細表示領域に、監視対象期間および比較対象期間の空調機器の消費電力量とともに、当該消費電力量と関連する情報である外気温の計測値をあわせて表示させるようにしている。図１１において、当該外気温の計測値は、折れ線グラフで表示している。図１１に示すグラフ上、右側の縦軸に示す数値は、外気温の計測値をあらわしている。なお、図１１に示すグラフ上、左側の縦軸に示す数値は、消費電力量の計測値をあらわしている。
ユーザは、予め、監視情報と関連する関連監視情報を定義しておくことができる。上述した例でいうと、監視情報である、空調機器の消費電力量に対し、外気温が関連監視情報として定義されていたものとしている。
そして、情報表示制御装置１は、例えば、ユーザによって定義された関連監視情報を記憶しておく等し、監視情報に関する情報を表示装置４に表示させる際に、監視対象期間および比較対象期間の関連監視情報に関する情報も、あわせて表示させるようにすることができる。図１１では、詳細表示領域に、当該関連監視情報に関する情報があわせて表示された状態の一例を示している。監視情報に関する情報等は、例えば、スクロール表示されるようにしてもよい。なお、図１１においては、スクロールバー等の記載は省略している。
【００９１】
例えば、上述の例でいうと、計測値取得部１３は、取得制御情報作成部１２から出力された取得制御情報に基づき、サーバ２から、監視対象期間および比較対象期間の空調機器の消費電力量を取得する際に、監視対象期間および比較対象期間の外気温の計測値をあわせて取得し、空調機器の消費電力量と紐付けて記憶させておく。記憶させておく場所は、例えば、情報表示制御装置１の内部等とすればよく、情報表示制御装置１が参照可能な場所であればよい。
そして、詳細表示制御部１６３は、図１１に示したように、監視対象期間および比較対象期間の空調機器の消費電力量を、表示装置４の表示画面の詳細表示領域に表示させる際に、当該空調機器の消費電力量と紐付けられた外気温の計測値に関する情報を、棒グラフで表示させる。
なお、図１１では、詳細表示制御部１６３は、外気温の計測値に関する情報を棒グラフで表示させるようにしたが、棒グラフ以外の方法で外気温の計測値に関する情報を表示させるようにしてもよい。
【００９２】
また、情報表示制御装置１は、表示装置４の表示画面の一覧表示領域に表示対象項目一覧を表示させる際に、当該表示対象項目一覧に、監視対象期間および比較対象期間の監視情報の比較結果の情報とともに、監視対象期間および比較対象期間の関連監視情報に関する情報もあわせて表示させるようにしてもよい。
具体的には、上述の例でいうと、計測値取得部１３は、取得制御情報作成部１２から出力された取得制御情報に基づき、サーバ２から、監視対象期間および比較対象期間の空調機器の消費電力量を取得する際に、当該空調機器の消費電力量と紐付けて、監視対象期間および比較対象期間の外気温の計測値をあわせて取得し、計測値関連情報を作成する。
また、比較部１５は、比較対象期間の消費電力量に対する監視対象期間の消費電力量の増減率を算出するとともに、比較対象期間の外気温の計測値に対する監視対象期間の外気温の計測値の増減率も算出しておく。
そして、一覧表示制御部１６２は、空調機器の消費電力量の増減率とあわせて外気温の計測値の増減率が示された表示対象項目一覧を表示装置４の表示画面の一覧表示領域に表示させる
【００９３】
例えば、空調機器の消費電力量は、外気温の影響を受けることが多い。このように、情報表示制御装置１が、空調機器の消費電力量とともに、外気温に関する情報をあわせて表示させるようにすることで、ユーザは、空調機器の消費電力量を、外気温の情報とあわせて監視できるようになり、より効率よく、必要な情報に基づいた分析等を行えるようになる。
【００９４】
また、この実施の形態１では、例えば、月報の場合、計測値取得部１３は、１日単位で空調機器の消費電力量を集計し、当該空調機器の消費電力量が表示装置４の画面の詳細表示領域に表示される際は、例えば、図１１に示すように、当該空調機器の消費電力量が１日単位で表示されるようにした。しかしながら、例えば、計測値取得部１３は、１日単位で空調機器の消費電力量を集計する際、昼の時間帯と夜の時間帯とに分けて、それぞれに空調機器の消費電力量を集計し、詳細表示制御部１６３は、例えば、棒グラフ上の色を変える等、昼の時間帯の空調機器の消費電力量と夜の時間帯の空調機器の消費電力量とがわかるようにし、１日単位の空調機器の消費電力量を累計で表示するようにしてもよい。
昼の時間帯と夜の時間帯とを、それぞれ何時から何時までとするかについては、例えば、ユーザが指定しておく等し、当該指定された情報を、情報表示制御装置１が参照可能な場所に記憶させておくようにすればよい。そして、計測値取得部１３は、当該記憶させておいた情報に基づき、昼の時間帯と夜の時間帯の空調機器の消費電力量の集計を行うようにすればよい。
【００９５】
また、この実施の形態１では、図１１に示すように、一覧表示領域８０２と詳細表示領域１１０１とが同一画面上に配置されるものとしている。これにより、ユーザは、比較した監視対象期間および比較対象期間の空調機器の消費電力量の詳細と、増減率の具体的な値とを見比べながら、解析を行うことができる。
なお、これは一例に過ぎず、一覧表示領域８０２と詳細表示領域１１０１とは別画面とし、詳細表示制御部１６３は、表示対象項目一覧が表示された画面から切り替えて、監視対象期間および比較対象期間の空調機器の消費電力量の詳細を表示させるようにしてもよい。
【００９６】
また、図１１に示すように、詳細表示制御部１６３は、詳細表示領域１１０１に、監視対象期間と比較対象期間の空調機器の消費電力量の詳細を表示させるとともに、比較部１５から出力された比較結果情報に基づき、対応する比較結果に関する情報、すなわち、増減率に関する情報を重畳表示させるようにしてもよい。
これにより、ユーザは、比較した監視対象期間および比較対象期間の空調機器の消費電力量の詳細と増減率の具体的な値とを対応させながら、解析を行うことができる。
【００９７】
このように、情報表示制御装置１は、比較対象とする監視対象期間の空調機器の消費電力量と、比較対象期間の空調機器の消費電力量について、まず、当該監視対象期間の空調機器の消費電力量と比較対象期間の空調機器の消費電力量の比較結果である増減率を表示対象項目一覧にして表示装置４に表示させる。そして、ユーザは、比較結果である増減率を確認して、当該増減率に基づいて、詳細を表示させる監視対象期間および比較対象期間の空調機器の消費電力量を絞り込んだ上で、確認したい所望の空調機器の監視対象期間および比較対象期間の消費電力量の詳細を表示させることができる。
その結果、空調機器の消費電力量の解析作業を効率よく行うことができる。
【００９８】
なお、この実施の形態１では、全ての設備３に設置された全ての空調機器を監視対象としたが、これに限らず、例えば、設備（Ａ）３−１〜（Ｄ）３−４に設置された空調機器等、ユーザは、予め監視対象とする空調機器を指定しておくようにしてもよい。
【００９９】
また、この実施の形態１では、ユーザは、条件設定画面から、日単位の比較（日報比較）、月単位の比較（月報比較）、および、年単位の比較（年報比較）に関する基本条件を全て設定し、日単位の比較結果および消費電力量の詳細に関する情報、月単位の比較結果および消費電力量の詳細に関する情報、年単位の比較結果および消費電力量の詳細に関する情報を、切り替えて表示可能とするものとしたが、これに限らない。
例えば、日単位の比較のみを可能とするものとしてもよいし、月単位の比較のみを可能とするものとしてもよいし、年単位の比較のみを可能とするものとしてもよい。例えば、ユーザは、条件設定画面から基本条件を入力する際に、どの単位の比較を行うのか指定できるようにしてもよい。
【０１００】
以上のように、この実施の形態１によれば、情報表示制御装置１は、１つまたは複数の監視対象において収集された、監視対象期間および比較対象期間の監視情報を表示させるための基本条件の設定を受け付ける表示条件受付部１１２と、表示条件受付部１１２が受け付けた基本条件に基づき、監視対象期間および前記比較対象期間の監視情報を取得する計測値取得部１３と、計測値取得部１３が取得した、監視対象期間の監視情報と比較対象期間の監視情報とを比較する比較部１５と、比較部１５による比較結果と、どの監視対象から収集された監視対象期間および比較対象期間の監視情報であるかを特定するための項目とが対応付けられた表示対象項目一覧を一覧表示領域に表示させる一覧表示制御部１６２と、一覧表示制御部１６２が表示させた表示対象項目一覧から、１つの項目の選択指示を受け付ける詳細表示受付部１１１と、計測値取得部１３が取得した監視対象期間および比較対象期間の監視情報と、詳細表示受付部１１１が受け付けた選択指示に基づき、選択指示で選択された項目に対応する、監視対象期間および比較対象期間の監視情報を、詳細表示領域に表示させる詳細表示制御部１６３とを備えるようにしたので、比較対象とする監視対象期間および比較対象期間の監視情報の詳細を、当該監視情報の比較結果に基づいて絞り込んだ上で表示させることができる。
【０１０１】
また、この実施の形態１によれば、一覧表示領域と前記詳細表示領域とは同一画面上に配置されるようにしたので、ユーザは、比較した監視対象期間および比較対象期間において監視対象から収集された監視情報の詳細と、監視対象期間の監視情報と比較対象期間の監視情報とを比較した比較結果とを見比べながら、監視対象期間および比較対象期間において、監視対象から収集された監視情報の解析を行うことができる。
【０１０２】
また、この実施の形態１によれば、表示条件受付部１１２は、表示対象項目一覧で表示させる情報の並び順を受け付け、一覧表示制御部１６２は、表示条件受付部１１２が受け付けた並び順に応じた並び順で、比較結果と、監視対象期間および比較対象期間の監視情報を特定するための項目とが対応付けられた一覧を表示させるようにしたので、ユーザは、より簡単に、所望の監視対象期間および比較対象期間の監視情報を選択することができ、より効率的に、比較対象とする監視対象期間および比較対象期間の監視情報の詳細の解析等を行うことができる。
【０１０３】
なお、実施の形態１で説明した情報表示制御装置１は、ビル、工場、プラントなどのあらゆる施設において、Ｉ／Ｏ状態を監視する監視システム等で用いられる情報表示制御装置に適用できる。
【０１０４】
また、本願発明はその発明の範囲内において、実施の形態の任意の構成要素の変形、もしくは実施の形態の任意の構成要素の省略が可能である。
【符号の説明】
【０１０５】
１  情報表示制御装置
２  サーバ
３  設備
４  表示装置
１１  指示受付部
１２  取得制御情報作成部
１３  計測値取得部
１４  比較用データ作成部
１５  比較部
１６  表示制御部
１１１  詳細表示受付部
１１２  表示条件受付部
１６１  受付画面表示制御部
１６２  一覧表示制御部
１６３  詳細表示制御部
８０１  区分表示部
８０２  一覧表示領域
１１０１  詳細表示領域
【図１】
2018116616.tif 000003
【図２】
2018116616.tif 000004
【図３】
2018116616.tif 000005
【図４】
2018116616.tif 000006
【図５】
2018116616.tif 000007
【図６】
2018116616.tif 000008
【図７】
2018116616.tif 000009
【図８】
2018116616.tif 000010
【図９】
2018116616.tif 000011
【図１０】
2018116616.tif 000012
【図１１】
2018116616.tif 000013